(57)【要約】【課題】パネルの裏面側における障害物の有無を容易に確認でき、しかも、貫通孔から自在に引き抜くことができるアンカー部材、障害物の確認方法、及びアンカー部材の取付方法を提供する。【解決手段】アンカー部材１では、係止部３が軸部２に沿う位置にあるときの係止部３の手前側の端部には操作紐７の一端が結合されているので、係止部３が軸部２に直交するように一旦回動しても、パネルＰの表面１３側において操作紐７の他端を引くことで、係止部３を再び軸部２に沿わせることができ、よって、アンカー部材１を貫通孔１２から自在に引き抜くことができる。しかも、このように自在に引き抜き可能なアンカー部材１を用い、係止部３を利用して、パネルＰの裏面１１側の貫通孔１２周辺における障害物１８の有無を貫通孔１２ごとに確認することもでき、よって、パネルＰの裏面１１側における障害物１８の有無を容易に確認できる。【選択図】図１
2012122559.tif 000002
【特許請求の範囲】
【請求項１】
パネルに穿設された貫通孔を利用して前記パネルに被固定物を固定するためのアンカー部材であって、
前記貫通孔に挿入される軸部と、
前記軸部の先端部に取り付けられて、前記軸部に交差する位置と前記軸部に沿う位置との間で回動可能な係止部と、
前記係止部が前記軸部に沿う位置にあるときの前記係止部の手前側に一端が結合された操作紐と、
を備えることを特徴とするアンカー部材。
【請求項２】
パネルに穿設された貫通孔を利用して前記パネルの裏面側における障害物の有無を確認する障害物の確認方法であって、
前記貫通孔に挿入される軸部と、前記軸部の先端部に取り付けられて、前記軸部に交差する位置と前記軸部に沿う位置との間で回動可能な係止部と、前記係止部が前記軸部に沿う位置にあるときの前記係止部の手前側に一端が結合された操作紐と、を備えた確認用部材を用い、
前記係止部を前記軸部に沿わせると共に前記操作紐の他端を前記パネルの表面側に留まらせた状態で、前記貫通孔に前記軸部および前記係止部を挿入する挿入ステップと、
前記パネルの裏面側に進出した前記係止部を前記軸部に交差させた状態で、前記軸部を前記貫通孔内で回転させる回転ステップと、
前記操作紐の他端を引くことにより前記係止部を前記軸部に沿わせ、前記軸部および前記係止部を前記貫通孔から引き抜く引き抜きステップと、
を含むことを特徴とする障害物の確認方法。
【請求項３】
パネルに穿設された貫通孔を利用して前記パネルに被固定物を固定するためのアンカー部材の取付方法であって、
前記貫通孔に挿入される軸部と、前記軸部の先端部に取り付けられて、前記軸部に交差する位置と前記軸部に沿う位置との間で回動可能な係止部と、前記係止部が前記軸部に沿う位置にあるときの前記係止部の手前側に一端が結合された操作紐と、を備えた前記アンカー部材を用い、
前記係止部を前記軸部に沿わせると共に前記操作紐の他端を前記パネルの表面側に留まらせた状態で、前記貫通孔に前記軸部および前記係止部を挿入する挿入ステップと、
前記パネルの裏面側に進出した前記係止部を前記軸部に交差させた状態で、前記軸部を前記貫通孔内で回転させ、前記パネルの裏面側における障害物不干渉領域の有無を判断する判断ステップと、を含み、
前記判断ステップで前記障害物不干渉領域が有ると判断される場合、前記パネルの表面側に突出した前記軸部に対して締結部材を取り付けることにより前記被固定物を固定し、
前記判断ステップで前記障害物不干渉領域が無いと判断される場合、前記操作紐の他端を引くことにより前記係止部を前記軸部に沿わせ、前記軸部および前記係止部を前記貫通孔から引き抜く、
ことを特徴とするアンカー部材の取付方法。
【発明の詳細な説明】
【技術分野】
【０００１】
本発明は、建物の屋根や壁などを構成するパネルに架台や柱脚といった被固定物を固定するためのアンカー部材、障害物の確認方法、及びアンカー部材の取付方法に関する。
【背景技術】
【０００２】
従来、このような分野の技術として、下記特許文献１，２に記載されるように、軸部と軸部の先端部に取り付けられた係止部とを備え、この係止部が軸部に対して回動可能になっているアンカー部材が知られている。この係止部は、パネルに設けられた孔に軸部を通す際には軸部に沿うように横になっており、孔を抜けるとバネ等の付勢を受けて立ち上がる。その結果、係止部はパネルの裏面に係合可能となる。一方、パネルの表面側では軸部にナット等が締め付けられ、その結果、被固定物が固定される。
【０００３】
このようなアンカー部材によれば、パネルの表面側における作業のみでパネルに被固定物を固定することができ、例えば既存建物の屋根においても、室内の天井などを撤去することなく被固定物の取り付け施工が可能である。
【先行技術文献】
【特許文献】
【０００４】
【特許文献１】実公平３−１４５７３号公報
【特許文献２】特開２００５−６１４９０号公報
【発明の概要】
【発明が解決しようとする課題】
【０００５】
しかしながら、上記特許文献に記載されたアンカー部材では、パネルの表面側における作業のみで施工を行うため、パネルの裏面側にケーブルやパイプなどの障害物が敷設されていても、貫通孔を通しての目視確認しか行えず、それらの存在を確認することは難しい。そのため、係止部がケーブルやパイプに干渉した状態でアンカー部材を取り付けてしまうことがある。この場合、被固定物の固定状態が不安定になったり、ケーブルやパイプを破断してしまったりするおそれがある。また、仮に作業中に障害物の存在を確認できたとしても、係止部がパネルの裏面側で一旦立ち上がってしまうと、アンカー部材を貫通孔から引き抜くことが困難となり、アンカー部材を他の場所にある貫通孔で再使用するといったことができなくなる。
【０００６】
そこで本発明は、パネルの裏面側における障害物の有無を容易に確認でき、しかも、貫通孔から自在に引き抜くことができるアンカー部材、障害物の確認方法、及びアンカー部材の取付方法を提供することを目的とする。
【課題を解決するための手段】
【０００７】
本発明に係るアンカー部材は、パネルに穿設された貫通孔を利用してパネルに被固定物を固定するためのアンカー部材であって、貫通孔に挿入される軸部と、軸部の先端部に取り付けられて、軸部に交差する位置と軸部に沿う位置との間で回動可能な係止部と、係止部が軸部に沿う位置にあるときの係止部の手前側に一端が結合された操作紐と、を備えることを特徴とする。
【０００８】
本発明に係るアンカー部材によれば、係止部が軸部に沿った状態で、軸部および係止部が貫通孔に挿入される。そして、パネルの裏面側に進出した係止部が軸部に交差するように回動すると、係止部がパネルの裏面側に係合可能となる。ここで、係止部が軸部に沿う位置にあるときの係止部の手前側には、操作紐の一端が結合されているので、係止部が軸部に交差するように一旦回動しても、パネルの表面側において操作紐の他端が引かれると、係止部を再び軸部に沿わせることができる。よって、アンカー部材を貫通孔から自在に引き抜くことができる。しかも、このように自在に引き抜き可能なアンカー部材を用いれば、係止部を利用して、パネルの裏面側の貫通孔周辺における障害物の有無を確認することもできる。よって、パネルの裏面側における障害物の有無を容易に確認できる。
【０００９】
また、本発明は、パネルに穿設された貫通孔を利用してパネルの裏面側における障害物の有無を確認する障害物の確認方法であって、貫通孔に挿入される軸部と、軸部の先端部に取り付けられて、軸部に交差する位置と軸部に沿う位置との間で回動可能な係止部と、係止部が軸部に沿う位置にあるときの係止部の手前側に一端が結合された操作紐と、を備えた確認用部材を用い、係止部を軸部に沿わせると共に操作紐の他端をパネルの表面側に留まらせた状態で、貫通孔に軸部および係止部を挿入する挿入ステップと、パネルの裏面側に進出した係止部を軸部に交差させた状態で、軸部を貫通孔内で回転させる回転ステップと、操作紐の他端を引くことにより係止部を軸部に沿わせ、軸部および係止部を貫通孔から引き抜く引き抜きステップと、を含むことを特徴とする。
【００１０】
本発明に係る障害物の確認方法によれば、挿入ステップにおいて、確認用部材の係止部が軸部に沿った状態で、軸部および係止部が貫通孔に挿入され、回転ステップにおいて、パネルの裏面側に進出した係止部が軸部に交差した状態で、軸部が貫通孔内で回転させられる。ここで、軸部の回転に伴って係止部が一緒に回転するので、係止部を利用してパネルの裏面側の貫通孔周辺における障害物の有無を確認することができる。障害物の有無を確認した後、引き抜きステップにおいて、パネルの表面側で操作紐の他端が引かれて係止部が軸部に沿わされ、軸部および係止部が貫通孔から引き抜かれる。よって、パネルの裏面側における障害物の有無を容易に確認でき、しかも、確認用部材を貫通孔から自在に引き抜くことができる。
【００１１】
また、本発明は、パネルに穿設された貫通孔を利用してパネルに被固定物を固定するためのアンカー部材の取付方法であって、貫通孔に挿入される軸部と、軸部の先端部に取り付けられて、軸部に交差する位置と軸部に沿う位置との間で回動可能な係止部と、係止部が軸部に沿う位置にあるときの係止部の手前側に一端が結合された操作紐と、を備えたアンカー部材を用い、係止部を軸部に沿わせると共に操作紐の他端をパネルの表面側に留まらせた状態で、貫通孔に軸部および係止部を挿入する挿入ステップと、パネルの裏面側に進出した係止部を軸部に交差させた状態で、軸部を貫通孔内で回転させ、パネルの裏面側における障害物不干渉領域の有無を判断する判断ステップと、を含み、判断ステップで障害物不干渉領域が有ると判断される場合、パネルの表面側に突出した軸部に対して締結部材を取り付けることにより被固定物を固定し、判断ステップで障害物不干渉領域が無いと判断される場合、操作紐の他端を引くことにより係止部を軸部に沿わせ、軸部および係止部を貫通孔から引き抜く、ことを特徴とする。
【００１２】
本発明に係るアンカー部材の取付方法によれば、挿入ステップにおいて、確認用部材の係止部が軸部に沿った状態で、軸部および係止部が貫通孔に挿入され、判断ステップにおいて、パネルの裏面側に進出した係止部が軸部に交差した状態で、軸部が貫通孔内で回転させられ、パネルの裏面側における障害物不干渉領域の有無が判断される。ここで、障害物不干渉領域とは、係止部が障害物に干渉することなく係合可能なパネルの裏面側の領域である。判断ステップで障害物不干渉領域が有ると判断される場合、パネルの表面側に突出した軸部に対して締結部材が取り付けられて被固定物が固定される。また、判断ステップで障害物不干渉領域が無いと判断される場合、パネルの表面側で操作紐の他端が引かれて係止部が軸部に沿わされ、軸部および係止部が貫通孔から引き抜かれる。このようにして、パネルの裏面側における障害物の有無を容易に確認でき、しかも、障害物不干渉領域の有無に応じて、アンカー部材を適宜取り付け、又は引き抜くことができる。
【発明の効果】
【００１３】
本発明によれば、パネルの裏面側における障害物の有無を容易に確認でき、しかも、アンカー部材または確認用部材を貫通孔から自在に引き抜くことができる。
【図面の簡単な説明】
【００１４】
【図１】本発明の第１実施形態に係るアンカー部材の正面図である。
【図２】図１のアンカー部材による被固定物の固定構造を示す断面図である。
【図３】図１のアンカー部材の取付方法を示すフローチャートである。
【図４】図３のフローチャートにおける貫通孔の穿設ステップを示す断面図である。
【図５】図３のフローチャートにおけるアンカー部材の挿入ステップを示す断面図である。
【図６】図３のフローチャートにおけるアンカー部材の回転ステップを示す断面図である。
【図７】図３のフローチャートにおけるアンカー部材の引き抜きステップを示す断面図である。
【図８】（ａ）及び（ｂ）は、本発明の他の実施形態に係るアンカー部材の正面図である。
【発明を実施するための形態】
【００１５】
以下、本発明の実施形態について、図面を参照しながら説明する。なお、図面の説明において同一要素には同一符号を付し、重複する説明は省略する。
【００１６】
［アンカー部材およびこれを用いた被固定物の固定構造］
図１は、第１実施形態に係るアンカー部材の正面図であり、図２は、図１のアンカー部材による被固定物の固定構造を示す断面図である。図１及び図２に示すように、アンカー部材１は、建物の屋根や壁などを構成するパネルＰに架台や柱脚といった被固定物１０を固定するための部材である。ここでは、パネルＰが屋根あるいは屋上を構成する軽量気泡コンクリート版（ＡＬＣ版；Autoclaived  Light-weight  Concrete  panel）である場合について示している。アンカー部材１は、パネルＰに穿設された貫通孔１２を利用してパネルＰの表面側（図２では上面側）に被固定物１０を固定する。
【００１７】
アンカー部材１は、貫通孔１２に挿入される軸部２と、軸部２の先端部２ａに取り付けられて、軸部２に対して回動可能な係止部３とを備えている。軸部２および係止部３は、例えば鉄製またはステンレス製である。先端部２ａとは反対側の軸部２の基端側は円柱状をなしており、その外周には雄ネジ部２ｂが形成されている。先端部２ａは平板状をなしており、この先端部２ａを挟むようにして、回動中心軸となる連結ピン４を介して係止部３の回動中心部３ｂが回動可能に取り付けられている。回動中心部３ｂの両側には、略等しい長さに延びた本体部３ａが形成されている。本体部３ａは、延在方向に垂直な断面が軸部２に対面する側に開放されたコ字状をなしている。本体部３ａの延在方向に延びる端辺には、パネルＰにアンカー部材１が取り付けられた際にパネルＰの裏面１１に当接する板状のパネル当接部３ｃが連設されている。
【００１８】
係止部３は、軸部２に対して略直交する位置（図１の実線で示す位置）と、軸部２と略一直線状となるように軸部２に沿う位置（図１の仮想線で示す位置）との間で回動可能になっている。すなわち、係止部３は、軸部２に対して約９０度の範囲で回動する。軸部２と係止部３との間には、連結ピン４を巻くようにして図示しないねじりバネが設けられている。このねじりバネによって、係止部３は、軸部２に対して略直交する位置に回動するよう、矢印Ａ方向に付勢されている。係止部３がこのように回動することで、軸部２を貫通孔１２に挿入する際には係止部３を軸部２に沿わせて貫通孔１２内への係止部３の進入を可能にすると共に、先端部２ａがパネルＰの裏面１１側に突出した際には係止部３が回動してパネル当接部３ｃが裏面１１に係合可能となる。
【００１９】
図２に示すように、被固定物１０の固定構造Ｃにおいては、軸部２がパネルＰの貫通孔１２および被固定物１０の孔１０ａを貫通すると共に、係止部３が軸部２に対して略直交する位置でパネルＰの裏面１１に当接した状態で、雄ネジ部２ｂにナット５が締め付けられる。これにより、パネルＰとパネルＰの表面１３に載置された被固定物１０とが係止部３及びナット５によって挟み込まれ、その結果、被固定物１０がパネルＰに固定される。なお、ナット５と被固定物１０との間には、ワッシャ６等が設けられる。
【００２０】
ここで、本実施形態のアンカー部材１にあっては、係止部３が軸部２に沿う位置にあるときの係止部３の手前側（貫通孔１２への挿入方向を基準として基端側）の端部には、ワイヤからなる操作紐７が結合されている。より具体的には、本体部３ａのうち軸部２の基端側（雄ネジ部２ｂ側）の領域を回動する端部には、突片３ｄが設けられており、この突片３ｄに操作紐７の一端が結合されている。操作紐７は、アンカー部材１全体よりも長くなっており、被固定物１０が固定された図２の状態で被固定物１０の表面側（図２では上面側）に他端が延出可能な長さになっている。操作紐７の他端には、作業者の指によって摘まれる摘み部８が設けられている。なお、被固定物１０の固定構造Ｃでは、操作紐７は貫通孔１２、孔１０ａを通りパネルＰの表面１３側に露出している。
【００２１】
アンカー部材１では、作業者により操作紐７が引っ張られることで、連結ピン４の部分に設けられたねじりバネの付勢力に抗して、係止部３が軸部２に沿う位置に向けて矢印Ｂ方向に回動させられる。係止部３は、軸部２と略一直線状になった状態では、本体部３ａの手前側が軸部２を覆う。
【００２２】
［障害物の確認方法およびアンカー部材の取付方法］
上記の構成を有するアンカー部材１は、パネルＰの貫通孔１２を利用してパネルＰの裏面１１における障害物の有無を確認するための確認用部材としても機能する。すなわち、アンカー部材１は、確認用部材としてのみ用いることもでき、また、確認用部材および被固定物１０の固定用部材として兼用することもできる。以下、既存建物の屋根における障害物の確認方法を兼ねたアンカー部材１の取付方法について説明する。
【００２３】
図３は、アンカー部材１の取付方法を示すフローチャートである。まず、防止シートや断熱材等の屋根パネルＰを覆っている層をカッターナイフ等でカットし、屋根パネルＰの表面１３をあらわにする。次に、パネルＰに貫通孔１２を穿設する（Ｓ１）。ここでは、図４に示すように、ドリル１６の刃１６ａにストッパ１７を取り付け、これによって、刃１６ａがパネルＰの裏面１１から突き出ることを防止し、パネルＰの裏面１１側に存在する可能性のあるケーブル類やパイプ類などの障害物１８が刃１６ａにより直接損傷されるのを防止する。
【００２４】
次に、貫通孔１２にアンカー部材１を挿入する（Ｓ２）。ここでは、図５に示すように、摘み部８を引っ張って操作紐７に張力を与える操作を行い、係止部３を軸部２に沿わせ、この状態の保ちつつ軸部２および係止部３を貫通孔１２に挿入する。このとき、摘み部８はパネルＰの表面１３側に留まっている。このステップＳ２は、挿入ステップに相当する。
【００２５】
次に、係止部３がパネルＰの裏面１１側に完全に抜け出て裏面１１側の空間に進出すると、摘み部８を引っ張る力を緩めて操作紐７に与えていた張力を弱める。これによって、係止部３はねじりバネの付勢力を受けて回動し、軸部２に対して略直交する位置で静止する。
【００２６】
そして、図６に示すように、軸部２を貫通孔１２内で回転させると同時に、係止部３をパネルＰの裏面１１側で貫通孔１２を中心として回転させる（Ｓ３）。この回転の際、パネルＰの裏面１１側に存在する可能性のある障害物１８を検知するために、係止部３のパネル当接部３ｃがパネルＰの裏面１１に接触した状態を保つことが好ましい。
【００２７】
次に、パネルＰの裏面１１側における障害物１８の有無を判断する（Ｓ４）。ここでは、例えば、ステップＳ３で係止部３をスムーズに回転させることができれば、障害物１８は無いと判断し、一方、係止部３が何かに干渉して回転が止まったりギクシャクした動きになったりすれば、障害物１８は有ると判断する。これらのステップＳ３，Ｓ４は、回転ステップに相当すると共に、判断ステップに相当する。
【００２８】
ステップＳ４で障害物１８は無いと判断した場合、貫通孔１２と被固定物１０の孔１０ａとの位置を合わせ、係止部３の方向（回転位置）を特に考慮することなく、ナット５により被固定物１０を固定する（Ｓ５）。このようにして、アンカー部材１の取付けが完了し、図２に示した固定構造Ｃが完成する。
【００２９】
一方、図６に示すように、係止部３が障害物１８に干渉していることにより、障害物１８は有ると判断した場合、係止部３が障害物１８に干渉することなく係合可能なパネルＰの裏面１１側の領域、すなわち障害物不干渉領域の有無を判断する（Ｓ６）。ここでは、ステップＳ３と同様にして、軸部２を貫通孔１２内で回転させると同時に係止部３をパネルＰの裏面１１側で再び回転させる。この回転の際、係止部３のパネル当接部３ｃが障害物１８に干渉する度にパネル当接部３ｃを裏面１１から多少浮かせ（軸部２を押し込み）、障害物１８への引っ掛かりを回避しながら係止部３を回転させることが好ましい。
【００３０】
ステップＳ６で障害物不干渉領域が有ると判断した場合、貫通孔１２と被固定物１０の孔１０ａとの位置を合わせ、係止部３を障害物不干渉領域内の方向（回転位置）で静止させたまま、ナット５により被固定物１０を固定する（Ｓ７）。このようにして、アンカー部材１の取付けが完了し、図２に示した固定構造Ｃが完成する。
【００３１】
一方、あらゆる方向への係止部３の回転によっても障害物１８との干渉を避けられず、障害物不干渉領域は無いと判断した場合、図７に示すように、軸部２を所定長さ押し込んだ上で、表面１３側に留まらせた摘み部８を引っ張って操作紐７に張力を与える操作を行い、係止部３を軸部２に沿わせ、この状態の保ちつつ軸部２および係止部３を貫通孔１２から引き抜く（Ｓ８）。このステップＳ８は、引き抜きステップに相当する。こうしてアンカー部材１を引き抜いた場合、パネルＰの他の場所において貫通孔１２を穿設し、新たな貫通孔１２で上記手順を繰り返す。
【００３２】
以上説明した本実施形態のアンカー部材１によれば、係止部３が軸部２に沿う位置にあるときの係止部３の手前側の端部には、操作紐７の一端が結合されているので、係止部３が軸部２に直交するように一旦回動しても、パネルＰの表面１３側において操作紐７の他端を引くことで、係止部３を再び軸部２に沿わせることができる。よって、アンカー部材１を貫通孔１２から自在に引き抜くことができる。しかも、このように自在に引き抜き可能なアンカー部材１を用い、係止部３を利用して、パネルＰの裏面１１側の貫通孔１２周辺における障害物１８の有無を貫通孔１２ごとに確認することもできる。よって、パネルＰの裏面１１側における障害物１８の有無を容易に確認できる。
【００３３】
また、本実施形態の障害物１８の確認方法によれば、軸部２の回転に伴って係止部３を一緒に回転させるので、係止部３を利用してパネルＰの裏面１１側の貫通孔１２周辺における障害物１８の有無を確認することができる。障害物１８の有無を確認した後、ステップＳ８において、パネルＰの表面１３側で操作紐７の他端を引いて係止部３を軸部２に沿わせ、軸部２および係止部３を貫通孔１２から引き抜くので、パネルＰの裏面１１側における障害物１８の有無を容易に確認でき、しかも、アンカー部材１を貫通孔１２から自在に引き抜くことができる。
【００３４】
また、本実施形態のアンカー部材の取付方法によれば、ステップＳ３，Ｓ４において、パネルＰの裏面１１側に進出した係止部３が軸部２に交差した状態で、軸部２を貫通孔１２内で回転させ、パネルＰの裏面１１側における障害物不干渉領域の有無を判断する。ステップＳ４で障害物不干渉領域が有ると判断した場合、パネルＰの表面１３側に突出した雄ネジ部２ｂに対してナット５を締め付けて被固定物１０を固定する。また、ステップＳ４で障害物不干渉領域は無いと判断した場合、パネルＰの表面１３側で操作紐７の他端を引いて係止部３を軸部２に沿わせ、軸部２および係止部３を貫通孔１２から引き抜く。このようにして、パネルＰの裏面１１側における障害物１８の有無を容易に確認でき、しかも、障害物不干渉領域の有無に応じて、アンカー部材１を適宜取り付け、又は引き抜くことができる。
【００３５】
図８（ａ）及び図８（ｂ）は、他の実施形態に係るアンカー部材の正面図である。図８（ａ）に示す第２実施形態のアンカー部材１Ａが図１に示した第１実施形態のアンカー部材１と違う点は、軸部２と係止部３との間にねじりバネが設けられず、係止部３を矢印Ａ方法に付勢するおもり３ｅを有する係止部３Ａを備えた点である。このアンカー部材１Ａは、軸部２が水平方向に向けられる場合、すなわち貫通孔１２が水平方向に穿設される場合に使用される。このような構成を有するアンカー部材１Ａによっても、アンカー部材１と同様の作用効果が奏される。
【００３６】
図８（ｂ）に示す第３実施形態のアンカー部材１Ｂが図１に示した第１実施形態のアンカー部材１と違う点は、係止部３が軸部２に沿う位置にあるときの係止部３の奥側（貫通孔１２への挿入方向を基準として先端側）の端部にも突片３ｆが設けられた係止部３Ｂを備えた点と、係止部３Ｂの突片３ｆにワイヤからなる操作紐７Ｂの一端が結合され、操作紐７Ｂの他端に摘み部８Ｂが設けられた点である。このような構成を有するアンカー部材１Ｂによれば、摘み部８を引くことにより係止部３が矢印Ｂ方向に回動し、摘み部８Ｂを引くことにより、係止部３が矢印Ａ方向に回動するので、アンカー部材１と同様の作用効果が奏される。
【００３７】
以上、本発明の実施形態について説明したが、本発明は上記実施形態に限られるものではない。例えば、上記実施形態では、係止部３の端部に操作紐７が結合される場合について説明したが、回動中心部３ｂから手前側に多少ずれた位置に操作紐７が結合されていてもよい。また、係止部３には付勢手段が設けられていなくてもよい。さらには、係止部３は９０度の範囲を回動する場合に限られず、３６０度またはそれ以上回動可能であってもよい。
【００３８】
また、上記実施形態では、まず障害物１８の有無を判断した上で障害物不干渉領域の有無を判断したが、障害物１８の有無の判断のみをもって障害物不干渉領域を判断としてもよい。また、上記実施形態では、軸部２に雄ネジ部２ｂが形成され、締結部材としてナット５が用いられる場合について説明したが、軸部２の基端側が円筒状をなしてその内周に雌ネジが形成され、これに締結部材としてボルトを締め付けてもよい。さらにまた、上記実施形態では屋根パネルＰの場合について説明したが、本発明は、鉛直方向に延在する壁パネルであっても適用可能であることは言うまでもない。
【符号の説明】
【００３９】
１，１Ａ，１Ｂ…アンカー部材（確認用部材）、２…軸部、３…係止部、５…ナット（締結部材）、７，７Ｂ…操作紐、１０…被固定物、１１…裏面、１２…貫通孔、１３…表面、１８…障害物、Ｐ…パネル。
【図１】
2012122559.tif 000003
【図２】
2012122559.tif 000004
【図３】
2012122559.tif 000005
【図４】
2012122559.tif 000006
【図５】
2012122559.tif 000007
【図６】
2012122559.tif 000008
【図７】
2012122559.tif 000009
【図８】
2012122559.tif 000010